(57)【特許請求の範囲】
【請求項１】
ノブ操作による値設定の際の値増減単位を設定する値増減単位設定装置であって、
操作された前記ノブの回転量を検出する回転量検出部と、
検出した前記ノブの回転量が所定の基準値以上であるかどうかを判定する回転量判定部と、
基準値以上の回転量のノブ操作が第１基準時間内で連続して行なわれた状態が、第２基準時間継続した場合に、あらかじめ定められた値増減単位段階にしたがって、値増減単位を１段階上げる値増減単位制御部とを備えることを特徴とする値増減単位設定装置。
【請求項２】
請求項１に記載の値増減単位設定装置であって、
前記値増減単位の初期値は、前記ノブ操作による値設定における設定単位であることを特徴とする値増減単位設定装置。
【請求項３】
請求項２に記載の値増減単位設定装置であって、
前記値増減単位制御部は、基準値以上の回転量のノブ操作が第１基準時間内で連続して行なわれない場合には、前記値増減単位を初期値に戻すことを特徴とする値増減単位設定装置。
【発明の詳細な説明】
【技術分野】
【０００１】
本発明は、ノブ操作による値設定の際の値増減単位を設定する値増減単位設定装置に関する。
【背景技術】
【０００２】
波形測定器では、表示する波形の時間軸の設定等をユーザから受け付けるインタフェースとしてノブが広く用いられている。ノブは、ユーザがつまんで回転させることができるようになっており、その回転量を検出して、数値を増減させることで所望の数値の設定を受け付けることができる。このとき、検出したノブの回転量をそのまま用いるのではなく、検出した回転量が所定の基準値以下であれば回転量を１とみなし、所定の基準値より大きければ、例えば、回転量を５とみなすこと等も行なわれている。
【０００３】
ノブを用いて数値を設定する波形測定器の設定項目の１つとしてトリガーディレイがある。トリガーディレイは、所定のトリガーが掛かってから実際にサンプリングを開始するまでの時間であり、ノブを操作することにより、ディレイ時間を設定することができる。
【０００４】
一般に、トリガーディレイを設定する際の値設定単位は、測定時間に連動するようになっており、測定時間が短いほど値設定単位は小さくなり、測定時間が長いほど値設定単位は大きくなるようになっている。例えば、測定時間が１秒の場合には、１ｍ秒単位でトリガーディレイを設定し、測定時間が１ｍ秒の場合に、１μ秒単位でトリガーディレイを設定するといった具合である。そして、トリガーディレイを設定する場合には、ノブを左右に回すことにより、値設定単位×ノブの回転量分の値が増減することになる。
【０００５】
このため、測定時間が短いときに、長いトリガーディレイを設定する場合には、細かい値設定単位で大きな値を設定することになり、ノブを大量に回転させなければならず、ユーザの負担が大きくなる。
【０００６】
この負担を軽減するために、波形測定器では、図８のフローチャートに示すようなインタフェースを採用しているものがある。ここでは、値設定単位に対して、ノブの回転によって増減する値の単位を示す値増減単位という概念を用いている。例えば、値増減単位が、１０ｍ秒であれば、１０ｍ秒単位で値が増減することになる。
【０００７】
ユーザからノブの回転を受け付けると（Ｓ２０１：Ｙｅｓ）、その回転量が基準値以上であるかどうかを判断する（Ｓ２０２）。そして、回転量が基準値以上でない場合（Ｓ２０２：Ｎｏ）には、値増減単位を値設定単位に設定して（Ｓ２０３）、値増減単位×ノブの回転量で増減量を設定する（Ｓ２０６）。
【０００８】
一方、回転量が基準値以上の場合（Ｓ２０２：Ｙｅｓ）には、基準値以上の回転操作が、基準時間内の連続操作であるかどうかを判断する（Ｓ２０４）。その結果、基準時間内の連続操作であった場合（Ｓ２０４：Ｙｅｓ）には、値増減単位を一段大きくして（Ｓ２０５）、値増減単位×ノブの回転量で増減量を設定する（Ｓ２０６）。ここで、値増減単位は、例えば、値設定単位が１μ秒の場合、１μ秒、１０μ秒、１００μ秒、１ｍ秒、１０ｍ秒、１００ｍ秒、１秒の７段階を用意しておくものとする。
【０００９】
このような制御を行なうため、基準時間内の連続操作が継続すると、値増減単位が一段ずつ大きくなっていくことになる。つまり、基準値以上の回転量の回転を連続して行なう場合には、ユーザが大きな値を設定しようとしていることが想定されるため、値増減単位を一段ずつ大きくして、大きな値を設定しやすくしている。
【００１０】
これに対し、基準時間内の連続操作でない場合（Ｓ２０４：Ｎｏ）には、値増減単位を最小の値増減単位、すなわち、値設定単位に設定して（Ｓ２０３）、値増減単位×ノブの回転量で増減量を設定する（Ｓ２０６）。このため、連続操作により値増減単位が大きくなっている場合でも、連続操作を止めることにより値増減単位が値設定単位に戻ることになり、値設定の微調整ができることになる。
【先行技術文献】
【特許文献】
【００１１】
【特許文献１】特開２００３−２１５１６６号公報
【発明の概要】
【発明が解決しようとする課題】
【００１２】
上述の従来の方法を用いて、例えば、１μ秒の値設定単位時に、トリガーディレイを０秒から５秒に設定変更する場合には、ノブを連続的に大きく回すことで、値増減単位が１０μ秒、１００μ秒、１ｍ秒、１０ｍ秒、１００ｍ秒、１秒と大きくなっていくため、素早く５秒に設定することができる。
【００１３】
ところが、例えば、１μ秒の値設定単位時に、トリガーディレイを０秒から５０ｍ秒に設定変更する場合には、ノブを連続的に大きく回し続けると、値増減単位がどんどん大きくなって５０ｍ秒を超えてしまって、うまく設定することができない。逆に、値増減単位が大きくならないようにノブを小さく回し続けると、非常に多くの回数分回転させなくてはならず、ユーザの負担が大きくなる。
【００１４】
そこで、本発明は、ノブ操作による値設定の際の値増減単位を設定する値増減単位設定装置において、設定する値にかかわらず、容易に値の設定ができるようにすることを目的とする。
【課題を解決するための手段】
【００１５】
上記課題を解決するため、本発明の値増減単位設定装置は、ノブ操作による値設定の際の値増減単位を設定する値増減単位設定装置であって、操作された前記ノブの回転量を検出する回転量検出部と、検出した前記ノブの回転量が所定の基準値以上であるかどうかを判定する回転量判定部と、基準値以上の回転量のノブ操作が第１基準時間内で連続して行なわれた状態が、第２基準時間継続した場合に、あらかじめ定められた値増減単位段階にしたがって、値増減単位を１段階上げる値増減単位制御部とを備えることを特徴とする。
【００１６】
本発明では、値増減単位を上げるまで、第２基準時間分の余裕を設けている。これにより、意図せずに値増減単位が上がってしまうことを防げるため、ユーザは適切に所望の値設定を行なうことができるようになる。
【００１７】
ここで、前記値増減単位の初期値は、前記ノブ操作による値設定における設定単位とすることができる。このとき、前記値増減単位制御部は、基準値以上の回転量のノブ操作が第１基準時間内で連続して行なわれない場合には、前記値増減単位を初期値に戻すことができる。
【発明の効果】
【００１８】
本発明によれば、ノブ操作による値設定の際の値増減単位を設定する値増減単位設定装置において、設定する値にかかわらず、容易に値の設定ができるようになる。
【図面の簡単な説明】
【００１９】
【図１】本実施形態に係る値増減単位設定装置を含む波形測定器の構成を示すブロック図である。
【図２】ノブの形状を示す図である。
【図３】ノブの回転状態の様子を示す図である。
【図４】値増減単位の遷移を示す図である。
【図５】トリガーディレイと測定時間とを説明する図である。
【図６】本実施形態の値設定手順を説明するフローチャートである。
【図７】波形のズーム表示を説明する図である。
【図８】従来の値設定手順を説明するフローチャートである。
【発明を実施するための形態】
【００２０】
本発明の実施の形態について図面を参照して説明する。図１は、本実施形態に係る値増減単位設定装置を含む波形測定器の構成を示すブロック図である。本図に示すように、波形測定器１００は、計測部１１０、操作部１２０、表示部１３０、表示制御部１４０、値増減単位設定装置１５０を備えている。
【００２１】
測定部１１０は、測定対象物から電気信号を入力し、波形に変換する処理を行なう。操作部１２０は、ユーザからの操作を受け付ける機能部である。操作部１２０は、表示する波形の時間軸の設定等を受け付けるインタフェースであるノブ１２１を含んでいる。ノブ１２１は、図２に示すような形状をしており、ユーザがつまんで左右に回転させることができるようになっている。なお、図２（ａ）は、ノブ１２１を正面から見た図であり、図２（ｂ）は、ノブを側面から見た図である。
【００２２】
表示部１３０は、測定対象物の波形を表示する表示装置である。表示制御部１４０は、表示部１３０における波形、軸等の表示を制御する。これらの計測部１１０、操作部１２０、表示部１３０、表示制御部１４０は、従来の波形測定器の構成と同様とすることができる。
【００２３】
値増減単位設定装置１５０は、ノブ操作による値設定の際の値増減単位を設定する。この処理を行なうため、値増減単位設定装置１５０は、回転量検出部１５１、回転量判定部１５２、値増減単位制御部１５３を備えている。
【００２４】
回転量検出部１５１は、操作されたノブ１２１の回転量を検出する。回転量では、正負の回転方向が区別される。回転量判定部１５２は、検出した回転量が所定の基準値以上であるかどうかを判定し、回転量が小さいか大きいかを判別する。
【００２５】
図３（ａ）は、回転量が所定の基準値未満であり、回転量が小さい様子を示し、図３（ｂ）は、回転量が所定の基準値以上であり、回転量が大きい様子を示している。このとき、回転量が小さい場合には、回転量を１とみなし、回転量が大きい場合には、回転量を、例えば、５とみなすようにしてもよい。なお、本実施形態では、所定の基準値を１つ定め、ユーザが小さく回したか、大きく回したかの２段階に区分けるものとするが、基準値を複数個定めて、３段階以上に区分けるようにしてもよい。
【００２６】
値増減単位制御部１５３は、基準値以上の回転量のノブ操作が所定の第１基準時間内で連続して行なわれた状態が、第２基準時間継続した場合に、あらかじめ定められた値増減単位段階にしたがって、値増減単位を１段階上げる処理を行なう。
【００２７】
第１基準時間は、ユーザがノブ１２１を連続して操作しているとみなせる程度の時間であり、例えば、数１０ｍ秒程度とすることができる。第２基準時間は、値増減単位が上がったことをユーザが十分認識できるように第１基準時間より長い時間とし、例えば、２秒程度とすることができる。これらの判断を行なうため、値増減単位制御部１５３はタイマを備えるものとする。
【００２８】
本実施形態では、値設定単位が１μ秒の場合の値増減単位は、図４に示すように、１μ秒、１０μ秒、１００μ秒、１ｍ秒、１０ｍ秒、１００ｍ秒、１秒の７段階とする。そして、値設定単位と等しい１μ秒を初期値として１段階ずつ上げていくものとする。ただし、値増減単位の段階は本例に限られない。なお、値増減単位の最小値は、値設定単位と等しくする。例えば、値設定単位が１ｍ秒であれば、値増減単位の最小値も１ｍ秒とする。
【００２９】
また、値増減単位制御部１５３は、値増減単位の段階が上がっている状態で、基準値以上の回転量のノブ操作が所定の第１基準時間内で連続して行なわれなかった場合には、値増減単位を初期値の値設定単位に戻す処理を行なう。
【００３０】
次に、本実施形態に係る値増減単位設定装置１５０を含む波形測定器１００における値設定手順について説明する。なお、本手順は、例えば、ノブ１２１を用いてトリガーディレイを設定する場合に好適である。ここで、トリガーディレイは、図５に示すように、波形を表示させる測定時間を、トリガー点を検出した時点から遅らせることであり、ノブ１２１を用いて遅らせる時間を設定することができる。
【００３１】
この場合、トリガーディレイの値設定単位は、測定時間に連動させるものとする。例えば、測定時間が１秒の場合に、トリガーディレイの値設定単位は１ｍ秒とし、測定時間が１ｍ秒の場合に、トリガーディレイの値設定単位は１μ秒とすることができる。また、値増減単位の初期値は最小値である値設定単位とする。
【００３２】
図６は、波形測定器１５０における値設定手順を説明するフローチャートである。本実施形態の値設定手順では、ノブ１２１の回転を受け付けると（Ｓ１０１：Ｙｅｓ）、その回転量が基準値以上であるかどうかを判断する（Ｓ１０２）。そして、回転量が基準値以上でない場合（Ｓ１０２：Ｎｏ）には、値増減単位を最小値である値設定単位に設定して（Ｓ１０３）、値増減単位×ノブの回転量で増減量を設定する（Ｓ１０７）。
【００３３】
一方、回転量が基準値以上の場合（Ｓ１０２：Ｙｅｓ）には、第１基準時間内の連続操作であるかどうかを判断する（Ｓ１０４）。その結果、第１基準時間内の連続操作であった場合（Ｓ１０４：Ｙｅｓ）には、連続操作状態が第２基準時間継続したかどうかを判断する（Ｓ１０５）。
【００３４】
その結果、連続操作状態が第２基準時間継続した場合（Ｓ１０５：Ｙｅｓ）には、値増減単位を一段上げて（Ｓ１０６）、値増減単位×ノブの回転量で増減量を設定する（Ｓ１０７）。なお、値増減単位を一段上げた場合は、第２基準時間の計測をリセットする。このため、基準値以上のノブ回転が継続すると、第２基準時間毎に値増減単位が上がっていくことになる。
【００３５】
このように、本実施形態では、基準値以上のノブ回転操作が連続した場合であっても、即座には値増減単位を上げずに、第２基準時間継続した場合に値増減単位を上げるようにしている。このため、値増減単位が上がるまで第２基準時間の余裕ができ、ユーザが意図せずに値増減単位が上がってしまうことを防ぐことができる。したがって、設定する値にかかわらず、ユーザは容易に値に設定することができるようになり、ユーザの値設定の手間を軽減させることができる。
【００３６】
例えば、値設定単位が１μ秒の場合に、５０ｍ秒を設定するときは、基準値以上のノブ回転を連続して行なうことにより、第２基準時間毎に値増減単位が上がっていく。そして、値増減単位が１０ｍ秒に上がってから第２基準時間以内に５０ｍ秒に設定することで容易に所望の値を設定することができる。ここで、第２基準時間を、上述のように、例えば、２秒程度とすることで、ユーザは快適に所望の値を設定することができるようになる。
【００３７】
また、値設定単位が１μ秒の場合に、５秒を設定するときは、基準値以上のノブ回転を連続して行なうことにより、第２基準時間毎に値増減単位が上がっていく。そして、値増減単位が最大の１秒に上がりきってから５秒に設定することで、容易に所望の値を設定することができる。
【００３８】
これに対し、第１基準時間内の連続操作でない場合（Ｓ１０４：Ｎｏ）には、値増減単位を値設定単位に設定して（Ｓ１０３）、値増減単位×ノブの回転量で増減量を設定する（Ｓ１０７）。すなわち、基準値以上のノブ回転の継続的な連続操作により値増減単位が大きくなっている場合でも、連続操作を止めることにより値増減単位が値設定単位に戻ることになり、値設定の微調整ができることになる。
【００３９】
なお、上記の例では、値増減単位設定装置１５０をトリガーディレイの値を設定する場合について説明したが、本実施形態の値増減単位設定装置１５０は、波形表示のズーム領域の位置を移動させる場合にも適用することができる。
【００４０】
波形測定器１００では、図７に示すように、ズーム倍率を設定することで、波形表示領域に表示された波形のうち、ズーム領域Ｚａに含まれる波形をズーム表示領域に拡大して表示することができる。ここで、図７（ｂ）は、図７（ａ）より高いズーム倍率を設定しており、ズーム領域Ｚａの範囲が狭くなっている。
【００４１】
このとき、波形測定器１００では、ズーム領域Ｚａの位置をノブ１２１の操作で左右に移動させることができる。また、ズーム領域Ｚａの移動単位は、ズーム領域Ｚａの幅に連動するようになっている。波形測定器１００によっては、ズーム倍率を数倍から数百万倍の範囲で設定できるものもあり、ズーム倍率が大きくズーム領域Ｚａが狭い場合にノブ１２１の操作でズーム領域Ｚａを左右に大きく移動させることは、大量にノブ１２１を操作しなければならず、ユーザの負担が大きくなる。
【００４２】
この負担を軽減させるために、移動位置設定メニューを表示して、移動量の桁と数値とを独立にノブ１２１で設定できるようにしたり、波形測定器１００にテンキーを設けることも考えられるが、新たなインタフェースが必要となるため、ノブ１２１の操作で簡易に設定できることが望ましい。
【００４３】
そこで、本実施形態の値増減単位設定装置１５０を、ズーム領域Ｚａの位置設定に適用して、ズーム領域Ｚａの移動量変化単位を適切に設定することができる。これにより、ズーム倍率が大きい場合でも、ズーム領域Ｚａの位置移動を容易に行なうことができるようになる。
【符号の説明】
【００４４】
１００…波形測定器、１１０…計測部、１１０…測定部、１２０…操作部、１２１…ノブ、１３０…表示部、１４０…表示制御部、１５０…値増減単位設定装置、１５１…回転量検出部、１５２…回転量判定部、１５３…値増減単位制御部
【図１】
0005413064.tif 000002
【図２】
0005413064.tif 000003
【図３】
0005413064.tif 000004
【図４】
0005413064.tif 000005
【図５】
0005413064.tif 000006
【図６】
0005413064.tif 000007
【図７】
0005413064.tif 000008
【図８】
0005413064.tif 000009